(57)【要約】【課題】  鋏からの毛髪の抜けがよく作業性に富むという元来の利点を生かしながら、確実に毛髪をカットすることのできる両櫛梳き鋏が求められている。【解決手段】  両櫛梳き鋏１は、第１刀身２と第２刀身３とが枢支軸４で枢支され、第１刀身２と第２刀身３が枢支軸４による枢支位置を境に指操作部２ａ，３ａと刃部２ｂ，３ｂとからそれぞれ構成され、開いた状態で対向する第１刀身２の刃部２ｂと第２刀身３の刃部３ｂのそれぞれの内側面１０，１３に、刀身長尺方向（矢印Ｊ方向）に切り込み溝９，１２を隔てて並ぶ複数の櫛歯８，１１がそれぞれ形成され、第１刀身２の櫛歯８と第２刀身３の櫛歯１１との交差により毛髪を切る両櫛梳き鋏において、第１刀身２の刃部２ｂの枢支軸４寄りの基部２ｃに形成された櫛歯８ａ，８ｂ，８ｃ，８ｄ，・・・が、枢支軸４に近い櫛歯ほど短い歯長に形成されている。【選択図】      図１
2005230210.tif 000002
【特許請求の範囲】
【請求項１】
第１刀身と第２刀身とが枢支軸で枢支され、第１刀身と第２刀身が枢支軸による枢支位置を境に指操作部と刃部とからそれぞれ構成され、開いた状態で対向する第１刀身の刃部と第２刀身の刃部のそれぞれの内側面に、刀身長尺方向に切り込み溝を隔てて並ぶ複数の櫛歯がそれぞれ形成され、第１刀身の櫛歯と第２刀身の櫛歯との交差により毛髪を切る両櫛梳き鋏において、第１刀身の刃部の枢支軸寄りの基部および／または第２刀身の刃部の枢支軸寄りの基部に形成された櫛歯が、枢支軸に近い櫛歯ほど短い歯長に形成されていることを特徴とする両櫛梳き鋏。
【請求項２】
第１刀身と第２刀身とが枢支軸で枢支され、第１刀身と第２刀身が枢支軸による枢支位置を境に指操作部と刃部とからそれぞれ構成され、開いた状態で対向する第１刀身の刃部と第２刀身の刃部のそれぞれの内側面に、刀身長尺方向に切り込み溝を隔てて並ぶ複数の櫛歯がそれぞれ形成され、第１刀身の櫛歯と第２刀身の櫛歯との交差により毛髪を切る両櫛梳き鋏において、第１刀身の刃部の枢支軸寄りの基部の外側面および／または第２刀身の刃部の枢支軸寄りの基部の外側面に、枢支軸心と略直角方向外向きに膨出した膨出部が形成されていることを特徴とする両櫛梳き鋏。
【請求項３】
第１刀身と第２刀身とが枢支軸で枢支され、第１刀身と第２刀身が枢支軸による枢支位置を境に指操作部と刃部とからそれぞれ構成され、開いた状態で対向する第１刀身の刃部と第２刀身の刃部のそれぞれの内側面に、刀身長尺方向に切り込み溝を隔てて並ぶ複数の櫛歯がそれぞれ形成され、第１刀身の櫛歯と第２刀身の櫛歯との交差により毛髪を切る両櫛梳き鋏において、第１刀身の刃部の枢支軸寄りの基部および／または第２刀身の刃部の枢支軸寄りの基部に、第１刀身の刃部の先端部および／または第２刀身の刃部の先端部よりも枢支軸心方向に厚みのある肉厚部が形成されていることを特徴とする両櫛梳き鋏。
【請求項４】
第１刀身と第２刀身とが枢支軸で枢支され、第１刀身と第２刀身が枢支軸による枢支位置を境に指操作部と刃部とからそれぞれ構成され、開いた状態で対向する第１刀身の刃部と第２刀身の刃部のそれぞれの内側面に、刀身長尺方向に切り込み溝を隔てて並ぶ複数の櫛歯がそれぞれ形成され、第１刀身の櫛歯と第２刀身の櫛歯との交差により毛髪を切る両櫛梳き鋏において、第１刀身の刃部の枢支軸寄りの基部および／または第２刀身の刃部の枢支軸寄りの基部に、櫛歯の無い棒刃部が形成されていることを特徴とする両櫛梳き鋏。
【発明の詳細な説明】
【技術分野】
【０００１】
本発明は、双方の刀身に多数の櫛歯を有していて、主に理容院や美容院で使用される両櫛梳き鋏に関するものである。
【背景技術】
【０００２】
従来、この種の両櫛梳き鋏が下記の特許文献１に開示されている。特許文献１開示の両櫛梳き鋏に相当する鋏を図１０に示す。図示の両櫛梳き鋏５１は第１刀身５２と第２刀身３とが枢支軸４により枢支されている。第１刀身５２は枢支軸４による枢支部分を境として指操作部５２ａと刃部５２ｂとから構成され、第２刀身３は枢支軸４による枢支部分を境として指操作部３ａと刃部３ｂとから構成されている。第１刀身５２の指操作部５２ａには指掛け環５と刀身開度規制用の当接部７が設けられ、第２刀身３の指操作部３ａには指掛け環６が設けられている。第１刀身５２の刃部５２ｂの内側面には切り込み溝９，９，９，・・・を隔てて並ぶ複数の櫛歯８，８，８，・・・が形成され、第２刀身３の刃部３ｂの内側面に切り込み溝１２，１２，１２，・・・を隔てて並ぶ複数の櫛歯１１，１１，１１，・・・が形成されている。
この両櫛梳き鋏５１は、鋏を閉じていく際に第１刀身５２の櫛歯８と第２刀身３の櫛歯１１との交差により毛髪を切るようになっている。また、両櫛梳き鋏５１は、片方の刀身に櫛歯が形成され他方の刀身が棒刃である片櫛式の梳き鋏と比べて、双方の切り込み溝９，１２によって形成される空間が広いため、切り込み溝９，１２内に入って切り残された毛髪の抜けがよく、作業性に富むという利点を有している。
【特許文献１】特開平８−１９６７５号公報
【発明の開示】
【発明が解決しようとする課題】
【０００３】
ところで、刃部５２ｂ,３ｂの切り込み溝９，１２が形成されている部分は、枢支軸４に直に隣接する根元部分と比べて剛性が低い。特に基部５２ｃ，３ｃには応力が集中しやすく、刃部５２ｂ，３ｂにかかる負荷によって基部５２ｃ，３ｃの部分が大きく弾性変形する。そのため、図１１および図１２に示すように、第１刀身５２および第２刀身３が閉じられると（図１２の矢印Ｒ，Ｌ参照）、毛髪Ｈを挟んだ際に刃部５２ｂおよび刃部３ｂはそれぞれの先端部５２ｄ，３ｄが互いに逃げる方向（矢印Ｕ，Ｄの方向）にしなり、毛髪Ｈを切ることなく挟むだけとなることがあった。
【０００４】
本発明は、上記した従来の問題点に鑑みてなされたものであって、鋏からの毛髪の抜けがよく作業性に富むという元来の利点を生かしながら、確実に毛髪をカットすることのできる両櫛梳き鋏の提供を目的とする。
【課題を解決するための手段】
【０００５】
上記目的を達成するために、本発明に係る両櫛梳き鋏は、第１刀身と第２刀身とが枢支軸で枢支され、第１刀身と第２刀身が枢支軸による枢支位置を境に指操作部と刃部とからそれぞれ構成され、開いた状態で対向する第１刀身の刃部と第２刀身の刃部のそれぞれの内側面に、刀身長尺方向に切り込み溝を隔てて並ぶ複数の櫛歯がそれぞれ形成され、第１刀身の櫛歯と第２刀身の櫛歯との交差により毛髪を切る両櫛梳き鋏において、第１刀身の刃部の枢支軸寄りの基部および／または第２刀身の刃部の枢支軸寄りの基部に形成された櫛歯が、枢支軸に近い櫛歯ほど短い歯長に形成されているものである。
【０００６】
また、第１刀身と第２刀身とが枢支軸で枢支され、第１刀身と第２刀身が枢支軸による枢支位置を境に指操作部と刃部とからそれぞれ構成され、開いた状態で対向する第１刀身の刃部と第２刀身の刃部のそれぞれの内側面に、刀身長尺方向に切り込み溝を隔てて並ぶ複数の櫛歯がそれぞれ形成され、第１刀身の櫛歯と第２刀身の櫛歯との交差により毛髪を切る両櫛梳き鋏において、第１刀身の刃部の枢支軸寄りの基部の外側面および／または第２刀身の刃部の枢支軸寄りの基部の外側面に、枢支軸心と略直角方向外向きに膨出した膨出部が形成されているものである。
【０００７】
そして、第１刀身と第２刀身とが枢支軸で枢支され、第１刀身と第２刀身が枢支軸による枢支位置を境に指操作部と刃部とからそれぞれ構成され、開いた状態で対向する第１刀身の刃部と第２刀身の刃部のそれぞれの内側面に、刀身長尺方向に切り込み溝を隔てて並ぶ複数の櫛歯がそれぞれ形成され、第１刀身の櫛歯と第２刀身の櫛歯との交差により毛髪を切る両櫛梳き鋏において、第１刀身の刃部の枢支軸寄りの基部および／または第２刀身の刃部の枢支軸寄りの基部に、第１刀身の刃部の先端部および／または第２刀身の刃部の先端部よりも枢支軸心方向に厚みのある肉厚部が形成されているものである。
【０００８】
更に、第１刀身と第２刀身とが枢支軸で枢支され、第１刀身と第２刀身が枢支軸による枢支位置を境に指操作部と刃部とからそれぞれ構成され、開いた状態で対向する第１刀身の刃部と第２刀身の刃部のそれぞれの内側面に、刀身長尺方向に切り込み溝を隔てて並ぶ複数の櫛歯がそれぞれ形成され、第１刀身の櫛歯と第２刀身の櫛歯との交差により毛髪を切る両櫛梳き鋏において、第１刀身の刃部の枢支軸寄りの基部および／または第２刀身の刃部の枢支軸寄りの基部に、櫛歯の無い棒刃部が形成されているものである。
【発明の効果】
【０００９】
本発明に係る両櫛梳き鋏によれば、第１刀身の基部の櫛歯および／または第２刀身の基部の櫛歯が枢支軸に近いものほど短い歯長に形成されているので、前記基部は枢支軸に近い部分ほど枢支軸心と略直角方向の刃幅が実質的に大きくなり、これに伴って剛性も高くなる。これにより、第１刀身の刃部および／または第２刀身の刃部が全体として撓みにくくなる。従って、毛髪カットの際も第１刀身の刃部先端が第２刀身の刃部先端から離れにくいため、第１刀身の櫛歯の刃先と第２刀身の櫛歯の刃先がしっかりと摺接して毛髪を確実に切断することができる。無論、梳き鋏からの毛髪の抜けもよく作業性に富んでいる。
【００１０】
また、第１刀身の刃部の枢支軸寄りの基部の外側面および／または第２刀身の刃部の枢支軸寄りの基部の外側面に、枢支軸心と略直角方向外向きに膨出した膨出部が形成されている場合も前記基部の剛性が高くなり、第１刀身の櫛歯の刃先と第２刀身の櫛歯の刃先で毛髪を確実に切断することができる。
【００１１】
そして、第１刀身の刃部の枢支軸寄りの基部および／または第２刀身の刃部の枢支軸寄りの基部に、第１刀身の刃部の先端部および／または第２刀身の刃部の先端部よりも枢支軸心方向に厚みのある肉厚部が形成されている場合も、前記基部の剛性が高いため、第１刀身の櫛歯の刃先と第２刀身の櫛歯の刃先で毛髪を確実に切断することができる。
【００１２】
更に、第１刀身の刃部の枢支軸寄りの基部および／または第２刀身の刃部の枢支軸寄りの基部に、櫛歯の無い棒刃部が形成されている場合も、前記基部の剛性が高く第１刀身の櫛歯の刃先と第２刀身の櫛歯の刃先で毛髪を確実に切断することができる。
【発明を実施するための最良の形態】
【００１３】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る両櫛梳き鋏を開いた状態で示す正面図、図２は前記両櫛梳き鋏を閉じた状態で示す正面図、図３は図２におけるＡ−Ａ線矢視断面図、図４は図２におけるＢ−Ｂ線矢視断面図である。但し、図１０に示した従来の両櫛梳き鋏と同一の構成要素には、同一の符号を付すとともにその詳細な説明を省略することがある。
各図において、この実施形態に係る両櫛梳き鋏１は、第１刀身２と第２刀身３とが枢支軸４で枢支され、鋏を閉じていく際に第１刀身２の櫛歯８と第２刀身３の櫛歯１１が摺接・交差することにより毛髪を切るようになっている。第１刀身２は枢支軸４による枢支位置（軸穴）を境に指操作部２ａと刃部２ｂとから構成され、第２刀身３は枢支軸４による枢支位置（軸穴）を境に指操作部３ａと刃部３ｂとから構成されている。第１刀身２の指操作部２ａには、親指を掛けるための指掛け環５が形成され、第２刀身３の指操作部３ａには、中指または薬指を掛けるための指掛け環６が形成されている。指掛け環５の内側面には、鋏を閉じたときに指掛け環６と当接して第１刀身２と第２刀身３の開度を規制する当接部７が設けられている。
【００１４】
第１刀身２の刃部２ｂの内側面１０と第２刀身３の刃部３ｂの内側面１３は開いた状態で対向するが、そのうち刃部２ｂの内側面１０には刀身長尺方向（矢印Ｊ方向）に切り込み溝９，９，９，・・・を隔てて並ぶ複数の櫛歯８，８，８，・・・が形成されている。櫛歯８，８，８，・・・の基端部は第１刀身２の長尺方向に延在する峰２ｅにつながっている。一方、刃部３ｂの内側面１３には刀身長尺方向（矢印Ｊ方向）に切り込み溝１２，１２，１２，・・・を隔てて並ぶ複数の櫛歯１１，１１，１１，・・・が形成されている。櫛歯１１，１１，１１，・・・の基端部は第２刀身３の長尺方向（矢印Ｊ方向）に延在する峰３ｅにつながっている。櫛歯８，８，８，・・・および櫛歯１１，１１，１１，・・・は正面視で枢支軸４を中心とする円弧状に湾曲形成されている。櫛歯８，８，８，・・・の先端には切断に際して毛髪を捕捉する溝部１４がそれぞれ刻設され、櫛歯１１，１１，１１，・・・の先端にも切断に際して毛髪を捕捉する溝部１５がそれぞれ刻設されている。切り込み溝９の溝底部９ａは刃部２ｂの内側面１０であり、切り込み溝１２の溝底部１２ａは刃部３ｂの内側面１３となっている。
【００１５】
そして、この両櫛梳き鋏１では、第１刀身２の刃部２ｂの枢支軸４寄りの基部２ｃに形成された櫛歯８に関して、図中１点鎖線の円Ｅ内に拡大して示すように、枢支軸４に最も近い櫛歯８ａの歯長が最も短く、以下櫛歯８ｂ、櫛歯８ｃ、櫛歯８ｄの順に歯長が次第に長くなっている。すなわち、枢支軸４に近い櫛歯８ほど短い歯長に形成されており、必然的に枢支軸４に最も近い切り込み溝９ａの溝長が最も短く、以下切り込み溝９ｂ、切り込み溝９ｃ、切り込み溝９ｄの順に溝長が次第に長くなっている。
尚、符号２ｄは刃部２ｂの先端部、２ｆは刃部２ｂの外側面、３ｄは刃部３ｂの先端部、３ｆは刃部３ｂの外側面である。
【００１６】
上記のように構成された両櫛梳き鋏１では、図５に示すように、毛髪を挟んだ状態で第１刀身２と第２刀身３を閉じると（矢印Ｒ，Ｌ方向）、第２刀身２の櫛歯８，８，８，・・・と第２刀身３の櫛歯１１，１１，１１，・・・との交差により毛髪Ｈが切断されて毛髪断片Ｈｄとなる。
このとき、第１刀身２の基部２ｃには枢支軸４に近い櫛歯８ほど短い歯長に形成されているので、刃部２ｂの基部２ｃにおける剛性が従来の第１刀身５２（図１０〜１１）と比べて高くなっており、刃部２ｂは全体として撓みにくい。これにより、毛髪カット時に刃部２ｂの先端部２ｄが刃部３ｂの先端部３ｄから離れにくくなるため、第１刀身２の櫛歯８と第２刀身３の櫛歯１１との間に毛髪Ｈを噛みこむことがほとんどない。従って、櫛歯８の刃先と櫛歯１１の刃先の交差により毛髪Ｈを確実に切断することができる。このように、第２刀身３を従来技術と同じ構成のままにしながら第１刀身２に特徴構成を施しただけで、毛髪Ｈを確実に切断できたのである。
【００１７】
尚、上記の実施形態では、一方の刀身（例えば、第１刀身２）について枢支軸４に近い櫛歯ほど短い歯長に形成したが、本発明の両櫛梳き鋏はそれに限定されるものでない。例えば、図６に示した両櫛梳き鋏１ａでは、第１刀身２のみならず、第２刀身３Ａの刃部３ｂの枢支軸４寄りの基部３ｃに形成された櫛歯１１についても、枢支軸４に最も近い櫛歯１１ａの歯長が最も短く、以下櫛歯１１ｂ、櫛歯１１ｃ、櫛歯１１ｄの順に歯長が次第に長くされている。すなわち、この両櫛梳き鋏１ａでは、第１刀身２の基部２ｃおよび第２刀身３Ａの基部３ｃの双方において、枢支軸４に近い櫛歯８，１１ほど短い歯長に形成されている。
このように、両方の刀身２，３Ａの基部２ｃ，３ｃにおいて枢支軸４に近い櫛歯８，１１ほど短い歯長に形成すると、両方の刀身２，３Ａの基部２ｃ，３ｃの剛性が高くなり、両方の刃部２ｂ，３ｂが全体として撓みにくくなる。従って、毛髪カット時に刃部２ｂの先端部２ｄと刃部３ｂの先端部３ｄがよりいっそう離れにくくなる。これにより、櫛歯８の刃先と櫛歯１１の刃先で毛髪Ｈをより確実に切断することができる。
【００１８】
次に、図７に示す両櫛梳き鋏１ｂでは、第１刀身２Ａの刃部の枢支軸４寄りの基部２ｃの外側面に、枢支軸４の軸心Ｓ（図８参照）に対し略直角方向外向き（左向き）に膨出した膨出部１６が形成されている。また、第２刀身３Ｂの刃部の枢支軸４寄りの基部３ｃの外側面に、枢支軸４の軸心Ｓに対し略直角方向外向き（右向き）に膨出した膨出部１７が形成されている。尚、第１刀身２Ａは図１０に示した第１刀身５２の外側面２ｆに膨出部１６を設けた例であり、第２刀身３Ｂは図１０に示した第２刀身３の外側面３ｆに膨出部１７を設けた例である。
この両櫛梳き鋏１ｂによれば、第１刀身２Ａの基部２ｃおよび第２刀身３Ｂの基部３ｃが左右幅広に形成されているので、毛髪カットに主に用いられる刃部の先端部近傍と比べて双方の基部２ｃ，３ｃの剛性が高くなり、第１刀身２Ａの刃部全体および第２刀身３Ｂの刃部全体が撓みにくくなる。従って、櫛歯８の刃先と櫛歯１１の刃先で毛髪Ｈを確実に切断することができる。
尚、前記では両方の刀身２Ａ，３Ｂに膨出部１６，１７を形成した例を示したが、本発明はいずれか一方の刀身に上記の膨出部を設けた場合も適用可能である。
【００１９】
次に、図８に示した両櫛梳き鋏１ｃは図１０の両櫛梳き鋏５１とほぼ同じ正面形状に形成されている。そして、第１刀身２Ｂの刃部２ｂの枢支軸４寄りの基部２ｃに、第１刀身２Ｂの刃部２ｂの先端部２ｄの厚み（図中、１点鎖線２ｇで示す位置）よりも枢支軸４の軸心Ｓ方向に厚みのある肉厚部１８が形成されている。また、第２刀身３Ｃの刃部３ｂの枢支軸４寄りの基部３ｃに、第２刀身３Ｃの刃部３ｂの先端部３ｄの厚み（図中、１点鎖線３ｇで示す位置）よりも枢支軸４の軸心Ｓ方向に厚みのある肉厚部１９が形成されている。
この両櫛梳き鋏１ｃにおいても、刃部２ｂの基部２ｃのみならず刃部３ｂの基部３ｃの剛性が高くなり、刃部２ｂおよび刃部３ｂが全体として撓みにくくなるので、櫛歯８の刃先と櫛歯１１の刃先で毛髪Ｈを確実に切断することができる。
尚、前記では両方の刀身２Ａ，３Ｂに肉厚部１８，１９を形成した例を示したが、本発明はいずれか一方の刀身に上記の肉厚部を設けた場合も適用可能である。
【００２０】
続いて、図９に示した両櫛梳き鋏１ｄでは、第１刀身２Ｃの刃部２ｂの枢支軸４寄りの基部２ｃに、その内側面に櫛歯が設けられていない直線状の棒刃部２０が形成されている。この棒刃部２０は第２刀身３の櫛歯１１と交差したとき毛髪を切断できるほど鋭利な刃角に形成してもよいし、あるいは毛髪を切断できない刃角に形成しても構わない。
この両櫛梳き鋏１ｄでは、刃部２ｂの基部２ｃに櫛歯８が形成されていないので、基部２ｃの剛性が高くなり刃部２ｂが全体として撓みにくくなる。従って、櫛歯８の刃先と櫛歯１１の刃先で毛髪Ｈを確実に切断することができる。
尚、前記では片方の刀身２Ｃに櫛歯の無い棒刃部２０を形成した例を示したが、本発明は両方の刀身に上記の棒刃部を設けた場合も適用可能である。
【図面の簡単な説明】
【００２１】
【図１】本発明の一実施形態に係る両櫛梳き鋏を開いた状態で示す正面図である。
【図２】前記両櫛梳き鋏を閉じた状態で示す正面図である。
【図３】図２におけるＡ−Ａ線矢視断面図である。
【図４】図２におけるＢ−Ｂ線矢視断面図である。
【図５】前記両櫛梳き鋏による毛髪カット動作を示す動作説明図である。
【図６】本発明の別の実施形態に係る両櫛梳き鋏の正面図である。
【図７】本発明の更に別の実施形態に係る両櫛梳き鋏の正面図である。
【図８】本発明の他の実施形態に係る両櫛梳き鋏の部分側断面図である。
【図９】本発明の更に他の実施形態に係る両櫛梳き鋏の正面図である。
【図１０】従来の両櫛梳き鋏の正面図である。
【図１１】従来の両櫛梳き鋏の部分側断面図である。
【図１２】従来の両櫛梳き鋏による毛髪カット動作を示す動作説明図である。
【符号の説明】
【００２２】
１，１ａ，１ｂ，１ｃ，１ｄ  両櫛梳き鋏
２，２Ａ，２Ｂ，２Ｃ  第１刀身
２ｂ，３ｂ  刃部
２ｃ，３ｃ  基部
２ｄ，３ｄ  先端部
２ｆ，３ｆ  外側面
３，３Ａ，３Ｂ，３Ｃ  第２刀身
４    枢支軸
８，８ａ，８ｂ，８ｃ，８ｄ  櫛歯
９，１２  切り込み溝
１０，１３  内側面
１１，１１ａ，１１ｂ，１１ｃ，１１ｄ  櫛歯
１６，１７  膨出部
１８，１９  肉厚部
２０  棒刃部
Ｈ    毛髪
Ｓ    軸心
【図１】
2005230210.tif 000003
【図２】
2005230210.tif 000004
【図３】
2005230210.tif 000005
【図４】
2005230210.tif 000006
【図５】
2005230210.tif 000007
【図６】
2005230210.tif 000008
【図７】
2005230210.tif 000009
【図８】
2005230210.tif 000010
【図９】
2005230210.tif 000011
【図１０】
2005230210.tif 000012
【図１１】
2005230210.tif 000013
【図１２】
2005230210.tif 000014